(57)【要約】【課題】第１溶着面と第２溶着面との合わせ目を確実にシールすることができる現像カートリッジを提供すること。【解決手段】  トナーを収容する現像フレーム３１と、トナーを担持する現像ローラ２と、現像ローラ２に担持されたトナーの層厚を規制する層厚規制ブレード４とを備える現像カートリッジ１において、現像フレーム３１を構成するベースフレーム３２とカバーフレーム３３とを、層厚規制ブレード４に向かい合うベースフレーム３２の突出部４６とカバーフレーム３３の傾斜部５８との溶着領域Ａに、前後方向に延びる第１部分Ａ１と、左右方向に延びる第２部分Ａ２とを形成するように溶着する。【選択図】図５
2015060187.tif 000002
【特許請求の範囲】
【請求項１】
現像剤を収容するように構成され、第１溶着面を有する第１フレームと、前記第１溶着面と溶着される第２溶着面を有する第２フレームと、を備える筐体と、
軸線について回転可能であり、現像剤を担持するように構成される現像剤担持体と、
前記現像剤担持体に担持された現像剤の層厚を規制するように構成される層厚規制部材と、
を備え、
前記第１フレームは、
前記層厚規制部材に向かい合う第１対向面を有し、
前記第２フレームは、
前記層厚規制部材に向かい合う第２対向面を有し、
前記第１溶着面は、前記第１対向面から連続して、前記第１対向面と交差する方向である第１方向に沿って前記第１対向面から離れる向きへ延び、
前記第２溶着面は、前記第１溶着面に向かい合い、前記第２対向面から連続して、前記第１方向に沿って前記第１対向面から離れる向きへ延び、
前記第１溶着面と前記第２溶着面との溶着領域は、
前記第１方向に延びる第１部分であって、前記第１方向において前記第１溶着面または前記第２溶着面の端部まで延びる第１部分と、
前記第１部分から前記第１方向と交差する第２方向内方へ延びる第２部分であって、前記第２方向において前記第１溶着面または前記第２溶着面の内端部まで延びる第２部分と
を有する
ことを特徴とする、現像カートリッジ。
【請求項２】
前記溶着領域は、前記第１部分の前記第２方向内方に間隔を隔てて位置し、前記第１部分と平行に延び、その前記第１方向における前記第１対向面または前記第２対向面側の端部が前記第１溶着面または前記第２溶着面の前記第１方向における前記第１対向面または前記第２対向面側の端部に位置する第３部分を有する
ことを特徴とする、請求項１に記載の現像カートリッジ。
【請求項３】
前記第１溶着面または前記第２溶着面の前記第２方向内端縁と前記第３部分との距離は、前記第１溶着面または前記第２溶着面の前記第２方向外端縁と前記第３部分との距離よりも短い
ことを特徴とする、請求項２に記載の現像カートリッジ。
【請求項４】
前記第１溶着面または前記第２溶着面の前記第１方向における前記第１対向面または前記第２対向面側の端部と前記第２部分との距離は、前記第１溶着面または前記第２溶着面の前記第２方向内端縁と前記第３部分との距離と同じか、または、短い
ことを特徴とする、請求項３に記載の現像カートリッジ。
【請求項５】
前記第１溶着面は、その第１方向における前記第１対向面または前記第２対向面側の端部において、前記第１方向に対して傾斜する第１傾斜部を有し、
前記第２溶着面は、その第１方向における前記第１対向面または前記第２対向面側の端部において、前記第１溶着面の傾斜に沿うように傾斜する第２傾斜部を有し、
前記第１傾斜部と前記第２傾斜部との溶着領域は、前記第１部分、前記第２部分および前記第３部分を有している
ことを特徴とする、請求項２〜４のいずれか一項に記載の現像カートリッジ。
【請求項６】
前記第１対向面および前記第２対向面と前記層厚規制部材との間に位置するシール部材をさらに備える
ことを特徴とする、請求項１〜５のいずれか一項に記載の現像カートリッジ。
【発明の詳細な説明】
【技術分野】
【０００１】
本発明は、電子写真方式が採用される画像形成装置に装着される現像カートリッジに関する。
【背景技術】
【０００２】
電子写真方式の画像形成装置として、静電潜像を担持する像担持体と、像担持体上の静電潜像に現像剤を供給する現像カートリッジとを備える画像形成装置が知られている。
【０００３】
このような画像形成装置に装着される現像カートリッジとして、例えば、フレームと、フレームの後端部に支持される現像ローラと、フレームの後端部に支持される層厚規制ブレードとを備える現像カートリッジが提案されている（例えば、下記特許文献１参照）。
【０００４】
この現像カートリッジでは、フレームは、上方および後方に開放される有底枠形状の下フレームと、下フレームに上方から組み合わされる上フレームとを備えている。上フレームは、その左右方向両端部と前端部とにおいて、下フレームの左右両側壁と前壁とに溶着されている。
【０００５】
そして、フレームの後端部と層厚規制ブレードとの間をシールするシール材は、その左右両端部において、上フレームの左右両端部と下フレームの左右両側壁との合わせ目を後方から被覆し、シールしている。
【先行技術文献】
【特許文献】
【０００６】
【特許文献１】特開２０１１−１３３７５７号公報
【発明の概要】
【発明が解決しようとする課題】
【０００７】
しかるに、特許文献１に記載の現像カートリッジでは、上フレームと下フレームとの溶着領域は、上フレームの左右両端部と下フレームの左右両側壁との合わせ目において、層厚規制ブレードへ向かって前後方向に沿って延びているのみである。
【０００８】
そのため、溶着領域に沿って層厚規制ブレードへ向かって漏れるトナーを、シール材のみでシールすることとなり、層厚規制ブレードへ向かうトナー漏れを防ぐことが困難な場合がある。
【０００９】
そこで、本発明の目的は、第１溶着面と第２溶着面との合わせ目を確実にシールすることができる現像カートリッジを提供することにある。
【課題を解決するための手段】
【００１０】
（１）上記した目的を達成するため、本発明の現像カートリッジは、筐体と、現像剤担持体と、層厚規制部材とを備える。筐体は、現像剤を収容するように構成され、第１溶着面を有する第１フレームと、第１溶着面と溶着される第２溶着面を有する第２フレームと、を備える。現像剤担持体は、軸線について回転可能であり、現像剤を担持するように構成される。層厚規制部材は、現像剤担持体に担持された現像剤の層厚を規制するように構成される。
【００１１】
第１フレームは、層厚規制部材に向かい合う第１対向面を有する。第２フレームは、層厚規制部材に向かい合う第２対向面を有する。
【００１２】
第１溶着面は、第１対向面から連続して、第１対向面と交差する方向である第１方向に沿って第１対向面から離れる向きへ延びる。第２溶着面は、第１溶着面に向かい合い、第２対向面から連続して、第１方向に沿って第１対向面から離れる向きへ延びる。
【００１３】
第１溶着面と第２溶着面との溶着領域は、第１方向に延びる第１部分であって、第１方向において第１溶着面または第２溶着面の端部まで延びる第１部分と、第１部分から第１方向と交差する第２方向内方へ延びる第２部分であって、第２方向において第１溶着面または第２溶着面の第２方向の内端部まで延びる第２部分とを有する。
【００１４】
このような構成によれば、溶着領域の第１部分は、第１方向に延び、第１方向において第１溶着面または第２溶着面の端部まで延びている。
【００１５】
すなわち、第１部分は、第１溶着面および第２溶着面を第１方向にわたって溶着している。
【００１６】
また、第２部分は、第１部分から第２方向内方へ延び、第２方向において第１溶着面または第２溶着面の内端部まで延びている。
【００１７】
すなわち、第２部分は、第１部分よりも第２方向内方において、第１溶着面および第２溶着面を第２方向にわたって溶着している。
【００１８】
そのため、第１部分によって、第２方向外方への現像剤の漏れを規制できるとともに、第２部分によって、第１方向他方への現像剤の漏れを規制できる。
【００１９】
その結果、第１溶着面と第２溶着面との合わせ目を、確実にシールすることができる。
（２）溶着領域は、第１部分の第２方向内方に間隔を隔てて位置し、第１部分と平行に延び、その第１方向における第１対向面または第２対向面側の端部が第１溶着面または第２溶着面の第１方向における第１対向面または第２対向面側の端部に位置する第３部分を有してもよい。
【００２０】
このような構成によれば、第３部分は、第１部分よりも第２方向内方において、第１溶着面および第２溶着面を第１方向にわたって溶着している。
【００２１】
そのため、第１部分よりも第２方向内方において、第２方向外方への現像剤の漏れを規制できる。
【００２２】
その結果、第１溶着面と第２溶着面との合わせ目を、より確実にシールすることができる。
（３）第１溶着面または第２溶着面の第２方向内端縁と第３部分との距離は、第１溶着面または第２溶着面の第２方向外端縁と第３部分との距離よりも短くてもよい。
【００２３】
このような構成によれば、より第２方向内方において、第１溶着面と第２溶着面との合わせ目をシールすることができる。
【００２４】
その結果、第１溶着面と第２溶着面との合わせ目を、一層確実にシールすることができる。
（４）第１溶着面または第２溶着面の第１方向における第１対向面または第２対向面側の端部と第２部分との距離は、第１溶着面または第２溶着面の第２方向内端縁と第３部分との距離と同じか、または、短くてもよい。
【００２５】
このような構成によれば、第３部分よりも第２方向内方において、第１溶着面または第２溶着面の第１方向における第１対向面または第２対向面側の端部と第２部分との距離を、より短くすることができる。
【００２６】
これにより、第１溶着面または第２溶着面において、第３部分よりも第２方向内方かつ第２部分よりも第１方向における第１対向面または第２対向面側の領域を小さくすることができる。
【００２７】
そのため、第３部分よりも第２方向内方かつ第２部分よりも第１方向における第１対向面または第２対向面側の領域に現像剤が浸入することを抑制でき、第３部分よりも第２方向内方かつ第２部分よりも第１方向における第１対向面または第２対向面側の領域を介して、第１溶着面と第２溶着面との合わせ目から現像剤が漏れることを抑制できる。
【００２８】
その結果、第１溶着面と第２溶着面との合わせ目を、より一層確実にシールすることができる。
（５）第１溶着面は、その第１方向における第１対向面または第２対向面側の端部において、第１方向に対して傾斜する第１傾斜部を有してもよい。第２溶着面は、その第１方向における第１対向面または第２対向面側の端部において、第１溶着面の傾斜に沿うように傾斜する第２傾斜部を有してもよい。この場合、第１傾斜部と第２傾斜部との溶着領域は、第１部分、第２部分および第３部分を有していてもよい。
【００２９】
ここで、第１傾斜部および第２傾斜部を傾斜させると、第１傾斜部および第２傾斜部がそれぞれ傾斜交差を生じる場合があり、第１フレームと第２フレームとを重ね合わせるときに、傾斜交差によって、第１傾斜部と第２傾斜部とを密着させることが困難になる場合がある。
【００３０】
この点、上記の構成によれば、第１傾斜部と第２傾斜部との溶着領域は、第１部分、第２部分および第３部分を有している。
【００３１】
そのため、第１傾斜部および第２傾斜部にそれぞれ傾斜交差が生じたとしても、第１傾斜部と第２傾斜部との合わせ目を、確実にシールすることができる。
（６）本発明の現像カートリッジは、第１対向面および第２対向面と層厚規制部材との間に位置するシール部材をさらに備えてもよい。
【００３２】
このような構成によれば、第１溶着面の第１方向における第１対向面または第２対向面側の端部に連続する第１対向面と、第２溶着面の第１方向における第１対向面または第２対向面側の端部に連続する第２対向面とに、シール部材が向かい合っている。
【００３３】
つまり、第１部分および第２部分を有する溶着領域によって溶着された第１溶着面と第２溶着面との合わせ目を、シール部材でシールしている。
【００３４】
そのため、第１傾斜部と第２傾斜部との合わせ目を、より確実にシールすることができる。
【発明の効果】
【００３５】
本発明の現像カートリッジによれば、第１溶着面と第２溶着面との合わせ目を確実にシールすることができる。
【図面の簡単な説明】
【００３６】
【図１】図１は、本発明の現像カートリッジの中央断面図である。
【図２】図２は、図１に示す現像カートリッジが装着される画像形成装置の中央断面図である。
【図３】図３は、図２に示す現像フレームの後上方からみた斜視図である。
【図４】図４Ａは、図３に示すベースフレームの後上方からみた斜視図である。図４Ｂは、図３に示すベースフレームの平面図である。
【図５】図５は、図４Ｂの要部拡大図である。
【図６】図６Ａは、図３に示すカバーフレームの後下方からみた斜視図である。図６Ｂは、図３に示すカバーフレームの底面図である。
【図７】図７は、図６Ｂの要部拡大図である。
【図８】図８は、現像フレームに対するブレードシールの組み付けを説明する説明図である。
【図９】図９Ａは、本発明の現像カートリッジの第１の変形例を説明する説明図である。図９Ｂは、本発明の現像カートリッジの第２の変形例を説明する説明図である。
【図１０】図１０Ａは、本発明の現像カートリッジの第３の変形例を説明する説明図である。図１０Ｂは、本発明の現像カートリッジの第４の変形例を説明する説明図である。
【発明を実施するための形態】
【００３７】
１．現像カートリッジの概略
図１に示すように、現像カートリッジ１は、現像剤担持体の一例としての現像ローラ２と、供給ローラ３と、層厚規制部材の一例としての層厚規制ブレード４と、トナー収容部５とを備えている。
【００３８】
なお、以下の説明において、現像カートリッジ１の方向に言及するときには、現像カートリッジ１を水平に載置した状態を上下の基準とする。すなわち、図１の紙面上方が上方であり、紙面下方が下方である。また、図１の紙面左方が前方であり、図１の紙面右方が後方である。また、現像カートリッジ１を前方から見たときを左右の基準とする。すなわち、図１の紙面手前が右方であり、紙面奥が左方である。前後方向は、第１方向の一例である。前方は、第１方向一方の一例である。後方は、第１方向他方の一例である。左右方向は、第２方向の一例である。
【００３９】
現像ローラ２は、現像カートリッジ１の後端部に回転可能に支持されている。現像ローラ２は、現像ローラ軸２Ａと、現像ローラ本体２Ｂとを備えている。
【００４０】
現像ローラ軸２Ａは、略円柱形状を有している。現像ローラ軸２Ａは、左右方向に延びている。すなわち、現像ローラ軸２Ａの中心軸線２Ｃは、左右方向に延びている。現像ローラ軸２Ａの中心軸線２Ｃは、軸線の一例である。現像ローラ軸２Ａは、金属からなる。現像ローラ軸２Ａの左右方向端部は、後述する現像フレーム３１の現像ローラ軸挿通穴４３に挿通されている。
【００４１】
現像ローラ本体２Ｂは、略円筒形状を有している。現像ローラ本体２Ｂは、左右方向に延びている。現像ローラ本体２Ｂは、導電性を有するゴムからなる。現像ローラ本体２Ｂは、現像ローラ軸２Ａの左右両端部を被覆せず、現像ローラ軸２Ａの左右方向略中央を被覆している。
【００４２】
供給ローラ３は、現像ローラ２の前下方に配置されている。供給ローラ３は、現像カートリッジ１に回転可能に支持されている。供給ローラ３は、供給ローラ軸３Ａと、供給ローラ本体３Ｂとを備えている。
【００４３】
供給ローラ軸３Ａは、略円柱形状を有している。供給ローラ軸３Ａは、左右方向に延びている。供給ローラ軸３Ａは、金属からなる。供給ローラ軸３Ａの左右方向端部は、後述する現像フレーム１の供給ローラ取付部３９に挿通されている。
【００４４】
供給ローラ本体３Ｂは、略円筒形状を有している。供給ローラ本体３Ｂは、左右方向に延びている。供給ローラ本体３Ｂは、導電性を有するスポンジからなる。供給ローラ本体３Ｂは、供給ローラ軸３Ａの左右両端部を被覆せず、供給ローラ軸３Ａの左右方向略中央を被覆している。供給ローラ本体３Ｂは、現像ローラ本体２Ｂの前下端部に接触している。
【００４５】
層厚規制ブレード４は、現像ローラ２の前上方に配置されている。層厚規制ブレード４は、現像ローラ本体２Ｂの前端部に接触している。
【００４６】
トナー収容部５は、供給ローラ３および層厚規制ブレード４の前方に配置されている。トナー収容部５は、現像剤の一例としてのトナーを収容するように構成されている。トナー収容部５は、アジテータ６を備えている。
【００４７】
アジテータ６は、トナー収容部５内に回転可能に支持されている。
２．現像カートリッジの使用態様
図２に示すように、現像カートリッジ１は、画像形成装置１１に装着されて使用される。
【００４８】
画像形成装置１１は、電子写真方式のモノクロプリンタである。画像形成装置１１は、装置本体１２と、プロセスカートリッジ１３と、スキャナユニット１４と、定着ユニット１５とを備えている。
【００４９】
装置本体１２は、略ボックス形状に形成されている。装置本体１２は、開口部１６と、フロントカバー１７と、給紙トレイ１８と、排紙トレイ１９とを有している。
【００５０】
開口部１６は、装置本体１２の前端部に配置されている。開口部１６は、プロセスカートリッジ１３の通過を許容するように、装置本体１２の内外を前後方向に連通している。
【００５１】
フロントカバー１７は、装置本体１２の前端部に配置されている。フロントカバー１７は、略平板形状を有している。フロントカバー１７は、上下方向に延び、その下端部を支点として装置本体１２の前壁に揺動可能に支持されている。フロントカバー１７は、開口部１６を開放または閉鎖するように構成されている。
【００５２】
給紙トレイ１８は、装置本体１２の底部に配置されている。給紙トレイ１８は、用紙Ｐを収容するように構成されている。
【００５３】
排紙トレイ１９は、装置本体１２の上壁の後側半分に配置されている。排紙トレイ１９は、用紙Ｐが載置されるように、装置本体１２の上面から下方へ凹んでいる。
【００５４】
プロセスカートリッジ１３は、装置本体１２の上下方向略中央に配置されている。プロセスカートリッジ１３は、装置本体１２に対して装着または離脱するように構成されている。プロセスカートリッジ１３は、ドラムカートリッジ２０と、現像カートリッジ１とを備えている。
【００５５】
ドラムカートリッジ２０は、感光ドラム２１と、スコロトロン型帯電器２２と、転写ローラ２３とを備えている。
【００５６】
感光ドラム２１は、ドラムカートリッジ２０の後端部に回転可能に支持されている。
【００５７】
スコロトロン型帯電器２２は、感光ドラム２１の後方において、感光ドラム２１と間隔を隔てて配置されている。
【００５８】
転写ローラ２３は、感光ドラム２１の下方に配置されている。転写ローラ２３は、感光ドラム２１の下端部と接触している。
【００５９】
現像カートリッジ１は、感光ドラム２１の前方において、現像ローラ２が感光ドラム２１の前端部に接触するように、ドラムカートリッジ２０に装着されている。
【００６０】
スキャナユニット１４は、プロセスカートリッジ１３の上方に配置されている。スキャナユニット１４は、感光ドラム２１に向けて画像データに基づくレーザービームを出射するように構成されている。
【００６１】
定着ユニット１５は、プロセスカートリッジ１３の後方に配置されている。定着ユニット１５は、加熱ローラ２４と、加熱ローラ２４の後下端部に圧接される加圧ローラ２５とを備えている。
【００６２】
画像形成装置１１が画像形成動作を開始すると、スコロトロン型帯電器２２は、感光ドラム２１の表面を一様に帯電する。スキャナユニット１４は、感光ドラム２１の表面を露光する。これにより、画像データに基づく静電潜像が、感光ドラム２１の表面に形成される。
【００６３】
また、アジテータ６は、トナー収容部５内のトナーを撹拌して、供給ローラ３に供給する。供給ローラ３は、アジテータ６によって供給されたトナーを現像ローラ２に供給する。このとき、トナーは、現像ローラ２と供給ローラ３との間で正極性に摩擦帯電され、現像ローラ２に担持される。層厚規制ブレード４は、現像ローラ２に担持されたトナーの層厚を一定厚さに規制する。
【００６４】
そして、現像ローラ２に担持されたトナーは、感光ドラム２１表面の静電潜像に供給される。これにより、トナー像が、感光ドラム２１の表面に担持される。
【００６５】
用紙Ｐは、給紙トレイ１８から、各種ローラの回転により、所定のタイミングで１枚ずつ、感光ドラム２１と転写ローラ２３との間に給紙される。感光ドラム２１表面のトナー像は、用紙Ｐが感光ドラム２１と転写ローラ２３との間を通過するときに、用紙Ｐに転写される。
【００６６】
その後、用紙Ｐは、加熱ローラ２４と加圧ローラ２５との間を通過するときに加熱および加圧される。これにより、用紙Ｐ上のトナー像は、用紙Ｐに熱定着される。その後、用紙Ｐは、排紙トレイ１９に排紙される。
３．現像カートリッジの詳細
現像カートリッジ１は、図３および図８に示すように、筐体の一例としての現像フレーム３１と、シール部材の一例としてのブレードシール７１とを備えている。
（１）現像フレーム
現像フレーム３１は、略ボックス形状を有している。現像フレーム３１の後端部は、開放されている。現像フレーム３１は、第１フレームの一例としてのベースフレーム３２と、第２フレームの一例としてのカバーフレーム３３とを備えている。
（１−１）ベースフレーム
ベースフレーム３２は、図４Ａおよび図４Ｂに示すように、有底枠形状を有している。ベースフレーム３２は、１対の側壁３４と、前壁３５と、下壁３６とを一体的に備えている。
【００６７】
１対の側壁３４のそれぞれは、ベースフレーム３２の左右方向両端部のそれぞれに配置されている。１対の側壁３４のそれぞれは、本体部３７と、鍔部４４と、取付部３８とを有している。
【００６８】
本体部３７は、側壁３４の前半分に配置されている。本体部３７は、前後方向に延びる略平板形状を有している。本体部３７の上面３７Ａは、前後方向に延びている。本体部３７は、トナー収容部５の左右方向側壁を構成している。本体部３７は、傾斜部４５を有している。
【００６９】
傾斜部４５は、本体部３７の前上端部の左右方向内端部に配置されている。傾斜部４５の上面４５Ａは、本体部３７の上面３７Ａに連続して、後方へ向かうにつれて下方へ傾斜するように延びている。
【００７０】
鍔部４４は、本体部３７の上端部から左右方向外方へ突出し、前後方向に延びている。鍔部４４は、平面視略矩形の平板形状を有している。鍔部４４の上面４４Ａは、本体部３７の上面３７Ａに連続して、前後方向に延びている。
【００７１】
取付部３８は、側壁３４の後半分に配置されている。取付部３８は、本体部３７の後端部の左右方向外端部に連続して前方へ延びている。取付部３８は、側面視略矩形の平板形状を有している。取付部３８は、供給ローラ取付部３９と、シール対向部４２と、ブレード取付部４０と、現像ローラ取付部４１と、突出部４６とを有している。
【００７２】
供給ローラ取付部３９は、取付部３８の前半分の下端部に配置されている。供給ローラ取付部３９は、左右方向に延び、後上方に開放された略角筒形状を有している。
【００７３】
シール対向部４２は、取付部３８の前半分の上下方向略中央において、供給ローラ取付部３９の上方に連続して配置されている。シール対向部４２は、左右方向に延びる後面視略矩形状を有している。シール対向部４２の後面４２Ａは、上下方向に延びている。
【００７４】
ブレード取付部４０は、取付部３８の前半分の上端部において、シール対向部４２の上方に連続して配置されている。ブレード取付部４０は、前後方向に延びる略角柱形状を有している。ブレード取付部４０の後端部は、シール対向部４２の後面よりも後方へ突出している。ブレード取付部４０の後面は、上下方向に延び、後面視略矩形状を有している。
【００７５】
現像ローラ取付部４１は、取付部３８の後半分に配置されている。現像ローラ取付部４１は、供給ローラ取付部３９、シール対向部４２およびブレード取付部４０の左右方向外端部から連続して後方へ延びている。現像ローラ取付部４１は、側面視略矩形の平板形状を有している。現像ローラ取付部４１は、現像ローラ軸挿通穴４３を有している。
【００７６】
現像ローラ軸挿通穴４３は、現像ローラ取付部４１の後端部に配置されている。現像ローラ軸挿通穴４３は、後端部が開放された側面視略円形状を有している。現像ローラ軸挿通穴４３は、現像ローラ取付部４１を左右方向に貫通している。現像ローラ軸挿通穴４３の内径は、現像ローラ２の現像ローラ軸２Ａの直径よりも大きい。
【００７７】
突出部４６は、シール対向部４２の左右方向内端部から左右方向内方へ向かって突出し、前後方向に延びている。突出部４６は、平面視略矩形状を有している。突出部４６の左右方向内端部は、本体部３７の左右方向内面よりも左右方向内方に配置されている。突出部４６の上面４６Ａは、後方へ向かうにつれて下方へ傾斜し、その左右方向外端部の前端部において本体部３７の傾斜部４５の上面４５Ａの後端部に連続している。突出部４６の上面４６Ａは、傾斜部４５の上面４５Ａとともに第１傾斜部を構成する。また、突出部４６の後面４６Ｂは、上下方向に延びている。突出部４６の後面４６Ｂは、その上端部において上面４６Ａの後端部に連続している。突出部４６の後面４６Ｂは、その左右方向外端部においてシール対向部４２の後面に連続している。突出部４６の後面４６Ｂは、シール対向部４２の後面４２Ａとともに第１対向面を構成する。
【００７８】
下壁３６は、図１および図４Ａに示すように、ベースフレーム３２の下端部に配置されている。下壁３６は、第１部分３６Ａと、第２部分３６Ｂと、第３部分３６Ｃとを一体的に備えている。
【００７９】
第１部分３６Ａは、ベースフレーム３２の前半分に配置されている。第１部分３６Ａは、断面視略円弧形状を有している。第１部分３６Ａの前後方向略中央は、下方へ凹んでいる。第１部分３６Ａの左右両端部は、１対の側壁３４の本体部３７の下端部に連続している。第１部分３６Ａは、トナー収容部５の底壁を構成している。
【００８０】
第２部分３６Ｂは、第１部分３６Ａの後方に配置されている。第２部分３６Ｂは、断面視略円弧形状を有している。第２部分３６Ｂは、第１部分３６Ａの後端部に連続して、供給ローラ本体３Ｂの外周面に沿って湾曲するように後方へ延びている。第２部分３６Ｂの左右両端部は、１対の側壁３４の供給ローラ取付部３９の下端部に連続している。
【００８１】
第３部分３６Ｃは、第２部分３６Ｂの後方に配置されている。第３部分３６Ｃは、断面視略直線形状を有している。第３部分３６Ｃは、第２部分３６Ｂの後端部に連続して、後方に向かって延びている。第３部分３６Ｃの左右両端部は、１対の側壁３４の現像ローラ取付部４１の下端部に連続している。
【００８２】
前壁３５は、ベースフレーム３２の前端部に配置されている。前壁３５は、本体部４８と、鍔部４７とを有している。
【００８３】
本体部４８は、下壁３６の前端部に連続して上方へ延びている。本体部４８は、左右方向に延びる正面視略矩形の略平板形状を有している。本体部４８の左右両端部は、１対の側壁３４の本体部３７の前端部に連続している。本体部４８は、トナー収容部５の前壁を構成している。本体部４８の上面４８Ａは、左右方向に延び、その左右両端部において、１対の側壁３４のそれぞれの本体部３７の上面３７Ａに連続している。
【００８４】
鍔部４７は、本体部４８の上端部から前方へ突出し、左右方向に延びている。鍔部４７は、平面視略矩形の平板形状を有している。鍔部４７の左右両端部は、１対の側壁３４の本体部３７の前端部に連続している。鍔部４７の上面４７Ａは、本体部４８の上面４８Ａに連続して左右方向に延び、その左右両端部において、１対の側壁３４のそれぞれの本体部３７の上面３７Ａに連続している。
【００８５】
１対の側壁３４のそれぞれの本体部３７の上面３７Ａ、１対の側壁３４のそれぞれの鍔部４４の上面４４Ａ、１対の側壁３４のそれぞれの傾斜部４５の上面４５Ａ、１対の側壁３４のそれぞれの突出部４６の上面４６Ａ、前壁３５の本体部４８の上面４８Ａ、および、前壁３５の鍔部４７の上面４７Ａは、第１溶着面を構成する。
（１−２）カバーフレーム
カバーフレーム３３は、図３および図６Ａに示すように、ベースフレーム３２の上方に配置されている。カバーフレーム３３は、被覆部５１と、シール支持部５２と、溶着リブ５３とを一体的に備えている。
【００８６】
被覆部５１は、カバーフレーム３３の前方大部分を構成する。被覆部５１は、平面視略矩形の平板形状を有している。被覆部５１は、トナー収容部５の上壁を構成している。被覆部５１は、本体部５４と、鍔部５５とを有している。
【００８７】
本体部５４は、平面視において、被覆部５１の中央に配置されている。本体部５４は、上端部が閉鎖され、下端部が開放された平面視略矩形の枠形状を有している。
【００８８】
鍔部５５は、本体部５４を囲むように、被覆部５１の左右両端部および前端部に配置されている。鍔部５５は、本体部５４の左右両端部の下端部から左右方向外方へ突出して前後方向に延びるとともに、本体部５４の前端部の下端部から前方へ突出して左右方向に延びている。鍔部５５は、略平板形状を有している。
【００８９】
シール支持部５２は、被覆部５１の後方に配置されている。シール支持部５２は、延出部５６と、対向部５７と、１対の傾斜部５８とを備えている。
【００９０】
延出部５６は、本体部５４の後端部の下端部から連続して後方へ延びている。延出部５６は、平面視略矩形の平板形状を有している。
【００９１】
対向部５７は、シール支持部５２の後端部に配置されている。対向部５７は、左右方向に延びる略平板形状を有している。対向部５７の前面は、延出部５６の後端部に連続している。対向部５７の後面は、上下方向に延びている。対向部５７の左右方向両端部５７Ａのそれぞれは、延出部５６の左右方向両端部のそれぞれよりも左右方向外方に突出している。対向部５７の左右方向両端部５７Ａのそれぞれの後面５７Ｂは、第２対向面の一例である。対向部５７は、複数のリブ５０を備えている。
【００９２】
複数のリブ５０のそれぞれは、対向部５７の上下方向両端部のそれぞれに配置されている。以下、対向部５７の上端部に配置されるリブ５０を上リブ５０Ａと記載し、対向部５７の下端部に配置されるリブ５０を下リブ５０Ｂと記載する。
【００９３】
複数の上リブ５０Ａのそれぞれは、対向部５７の上端部において、互いに左右方向に間隔を隔てて並列配置されている。複数の上リブ５０Ａのそれぞれは、対向部５７の後面から後方へ向かって突出し、左右方向に延びている。複数の上リブ５０Ａのそれぞれは、背面視略矩形状を有している。
【００９４】
複数の下リブ５０Ｂのそれぞれは、対向部５７の下端部において、互いに左右方向に間隔を隔てて並列配置されている。複数の下リブ５０Ｂのそれぞれは、対向部５７の後面から後方へ向かって突出し、左右方向に延びている。複数の下リブ５０Ｂのそれぞれは、背面視略矩形状を有している。
【００９５】
１対の傾斜部５８のそれぞれは、シール支持部５２の左右方向両端部のそれぞれに配置されている。１対の傾斜部５８のそれぞれは、平面視略矩形の平板形状を有している。１対の傾斜部５８のそれぞれは、後方へ向かうにつれて下方へ傾斜している。１対の傾斜部５８のそれぞれの前端部は、本体部５４の後端部に連続している。１対の傾斜部５８のそれぞれの後端部は、対向部５７の左右方向両端部５７Ａのそれぞれの下端部に連続している。なお、１対の傾斜部５８のそれぞれの左右方向内端部は、延出部５６の左右方向両端部のそれぞれに連続している。１対の傾斜部５８のそれぞれの左右方向寸法は、ベースフレーム３２の突出部４６の左右方向寸法と同じである。１対の傾斜部５８のそれぞれの下面５８Ａは、その後端部において、対向部５７の左右方向両端部５７Ａのそれぞれの後面５７Ｂの下端部に連続している。１対の傾斜部５８のそれぞれの下面５８Ａは、第２傾斜部の一例である。
【００９６】
被覆部５１の鍔部５５の下面５５Ａ、および、１対の傾斜部５８のそれぞれの下面５８Ａは、第２溶着面を構成する。
【００９７】
溶着リブ５３は、図６Ａ、図６Ｂおよび図７に示すように、第１溶着リブ５９と、第２溶着リブ６０とを有している。
【００９８】
第１溶着リブ５９は、鍔部５５の下面５５Ａに配置されている。第１溶着リブ５９は、鍔部５５の下面５５Ａから下方へ突出し、本体部５４を囲むように延びている。左右の第１溶着リブ５９のそれぞれの後端部は、１対の傾斜部５８のそれぞれの左右方向外端部の前方に配置されている。
【００９９】
第２溶着リブ６０は、１対の傾斜部５８のそれぞれの下面５８Ａに配置されている。第２溶着リブ６０は、第１リブ６０Ａと、第２リブ６０Ｂと、第３リブ６０Ｃとを有している。すなわち、１対の傾斜部５８のそれぞれは、第１リブ６０Ａと、第２リブ６０Ｂと、第３リブ６０Ｃとを有している。
【０１００】
第１リブ６０Ａは、傾斜部５８の左右方向外端部に配置されている。第１リブ６０Ａは、傾斜部５８の下面５８Ａから下方へ突出し、前後方向に略直線状に延びている。第１リブ６０Ａの前端部は、第１溶着リブ５９の後端部に連続している。第１リブ６０Ａの後端部は、傾斜部５８の後端縁Ｅ１の左右方向外端部に配置されている。
【０１０１】
第２リブ６０Ｂは、傾斜部５８の前後方向略中央に配置されている。第２リブ６０Ｂは、傾斜部５８の下面５８Ａから下方へ突出し、左右方向に延びている。第２リブ６０Ｂの左右方向外端部は、第１リブ６０Ａの前後方向略中央に連続している。第２リブ６０Ｂの左右方向内端部は、延出部５６の左右方向外端部に連続している。
【０１０２】
第３リブ６０Ｃは、傾斜部５８の左右方向略中央よりも左右方向内方に配置されている。第３リブ６０Ｃは、傾斜部５８の下面５８Ａから下方へ突出し、第１リブ６０Ａと平行して前後方向に延びている。第３リブ６０Ｃの前端部は、第２リブ６０Ｂの左右方向略中央に連続している。第３リブ６０Ｃの後端部は、傾斜部５８の後端縁Ｅ１の左右方向略中央よりも左右方向内方に配置されている。傾斜部５８の左右方向内端縁と第３リブ６０Ｃとの距離Ｄ１は、傾斜部５８の左右方向外端縁と第３リブ６０Ｃとの距離Ｄ２よりも短い。
（１−３）ベースフレームとカバーフレームとの溶着
現像フレーム３１は、カバーフレーム３３をベースフレーム３２に上方から重ね合わせて溶着することにより、組み立てられる。
【０１０３】
カバーフレーム３３がベースフレーム３２に重ね合わされた状態では、図３に示すように、カバーフレーム３３の鍔部５５は、ベースフレーム３２の本体部３７の上面３７Ａ、および、前壁３５の本体部４８の上面４８Ａに上方から当接する。また、カバーフレーム３３のシール支持部５２は、ベースフレーム３２のブレード取付部４０間に配置される。また、カバーフレーム３３の傾斜部５８は、ベースフレーム３２の傾斜部４５の上面４５Ａ、および、突出部４６の上面４６Ａに上方から当接する。
【０１０４】
そして、カバーフレーム３３とベースフレーム３２とを超音波溶着する。すると、カバーフレーム３３の溶着リブ５３が溶融し、溶融した溶着リブ５３により、図４Ｂおよび図５に破線で示す溶着領域Ａで、カバーフレーム３３がベースフレーム３２に溶着される。
【０１０５】
詳しくは、カバーフレーム３３の第１溶着リブ５９が溶融し、カバーフレーム３３の鍔部５５は、ベースフレーム３２の本体部３７の上面３７Ａ、および、前壁３５の本体部４８の上面４８Ａに溶着される。
【０１０６】
また、カバーフレーム３３の第２溶着リブ６０が溶融し、カバーフレーム３３の傾斜部５８は、ベースフレーム３２の傾斜部４５の上面４５Ａ、および、突出部４６の上面４６Ａに溶着される。溶融した第１リブ６０Ａによって溶着された部分が、溶着領域Ａの第１部分Ａ１である。溶融した第２リブ６０Ｂによって溶着された部分が、溶着領域Ａの第２部分Ａ２である。溶融した第３リブ６０Ｃによって溶着された部分が、溶着領域Ａの第３部分Ａ３である。
【０１０７】
第１部分Ａ１は、ベースフレーム３２の傾斜部４５の上面４５Ａ、および、突出部４６の上面４６Ａの左右方向外端部に位置する。第１部分Ａ１は、前後方向に延びている。第１部分Ａ１の後端部は、突出部４６の左右方向外端部の後端縁Ｅ２に位置する。
【０１０８】
第２部分Ａ２は、ベースフレーム３２の突出部４６の上面４６Ａの前後方向略中央に位置する。第２部分Ａ２は、左右方向に延びている。第２部分Ａ２の左右方向外端部は、第１部分Ａ１の前後方向略中央に連続している。第２部分Ａ２の左右方向内端部は、ベースフレーム３２の突出部４６の左右方向内端縁に位置する。
【０１０９】
第３部分Ａ３は、ベースフレーム３２の突出部４６の上面４６Ａの左右方向略中央よりも左右方向内方に位置する。第３部分Ａ３は、第１部分Ａ１と平行して前後方向に延びている。第３部分Ａ３の前端部は、第２部分Ａ２の左右方向略中央に連続している。第３部分Ａ３の後端部は、突出部４６の後端縁Ｅ２の左右方向略中央よりも左右方向内方に配置されている。ベースフレーム３２の突出部４６の左右方向内端縁と第３部分Ａ３との距離Ｄ３は、ベースフレーム３２の突出部４６の左右方向外端縁と第３部分Ａ３との距離Ｄ４よりも短い。
【０１１０】
カバーフレーム３３がベースフレーム３２に溶着されると、現像フレーム３１の組み立てが完了する。
（２）ブレードシール
ブレードシール７１は、図１および図８に示すように、層厚規制ブレード４と、カバーフレーム３３のシール支持部５２との間に配置されている。ブレードシール７１は、略角柱形状を有している。ブレードシール７１は、左右方向に延びている。ブレードシール７１は、樹脂製のスポンジからなる。
【０１１１】
ブレードシール７１の左右方向中央部は、図３および図８に示すように、カバーフレーム３３の対向部５７の左右方向中央の後面に接着剤層を介することなく直接接触している。また、ブレードシール７１の左右方向中央部は、複数の上リブ５０Ａと複数の下リブ５０Ｂとの間において、複数の上リブ５０Ａと複数の下リブ５０Ｂとに挟まれるように支持されている。
【０１１２】
また、ブレードシール７１の左右方向両端部のそれぞれは、ベースフレーム３２の突出部４６の後面４６Ｂ、ベースフレーム３２のシール対向部４２の後面４２Ａ、および、カバーフレーム３３の対向部５７の左右方向両端部５７Ａのそれぞれの後面５７Ｂに接着剤層を介することなく直接接触している。これにより、ブレードシール７１の左右方向両端部のそれぞれは、カバーフレーム３３の傾斜部５８のそれぞれの後端縁Ｅ１と、ベースフレーム３２の突出部４６のそれぞれの後端縁Ｅ２との合せ目７２をシールしている。また、ブレードシール７１の左右方向両端部のそれぞれは、１対の側壁３６のそれぞれの現像ローラ取付部４１の左右方向内面に接触している。
４．作用効果
（１）この現像カートリッジ１によれば、図４Ｂおよび図５に示すように、溶着領域Ａの第１部分Ａ１は、前後方向に延びている。第１部分Ａ１の後端縁は、ベースフレーム３２の突出部４６の後端縁Ｅ２、および、カバーフレーム３３の傾斜部５８の後端縁Ｅ１まで延びている。
【０１１３】
すなわち、第１部分Ａ１は、ベースフレーム３２の突出部４６とカバーフレーム３３の傾斜部５８とを前後方向にわたって溶着している。
【０１１４】
また、第２部分Ａ２は、第１部分Ａ１から左右方向内方へ延びている。第２部分Ａ２の左右方向内端縁は、ベースフレーム３２の突出部４６またはカバーフレーム３３の傾斜部５８の左右方向内端縁まで延びている。
【０１１５】
すなわち、第２部分Ａ２は、第１部分Ａ１よりも左右方向内方において、ベースフレーム３２の突出部４６とカバーフレーム３３の傾斜部５８とを左右方向にわたって溶着している。
【０１１６】
そのため、第１部分Ａ１によって、左右方向外方へのトナーの漏れを規制できるとともに、第２部分Ａ２によって、後方へのトナーの漏れを規制できる。
【０１１７】
その結果、ベースフレーム３２の突出部４６とカバーフレーム３３の傾斜部５８との合わせ目７２を、確実にシールすることができる。
（２）この現像カートリッジ１によれば、図４Ｂおよび図５に示すように、溶着領域Ａは、第１部分Ａ１の左右方向内方に間隔を隔てて位置する第３部分Ａ３を有している。第３部分Ａ３は、第１部分Ａ１と平行に延びている。第３部分Ａ３の後端縁は、カバーフレーム３３の傾斜部５８の後端縁Ｅ１、または、ベースフレーム３２の突出部４６の後端縁Ｅ２に位置している。
【０１１８】
すなわち、第３部分Ａ３は、第１部分Ａ１よりも左右方向内方において、ベースフレーム３２の突出部４６とカバーフレーム３３の傾斜部５８とを前後方向にわたって溶着している。
【０１１９】
そのため、第１部分Ａ１よりも左右方向内方において、左右方向外方へのトナーの漏れを規制できる。
【０１２０】
その結果、ベースフレーム３２の突出部４６とカバーフレーム３３の傾斜部５８との合わせ目７２を、より確実にシールすることができる。
（３）この現像カートリッジ１によれば、図６Ｂおよび図７に示すように、カバーフレーム３３の傾斜部５８の左右方向内端縁と第３リブ６０Ｃとの距離Ｄ１は、カバーフレーム３３の傾斜部５８の左右方向外端縁と第３リブ６０Ｃとの距離Ｄ２よりも短い。
【０１２１】
そして、図４Ｂおよび図５に示すように、ベースフレーム３２の突出部４６の左右方向外端縁と第３部分Ａ３との距離Ｄ３は、ベースフレーム３２の突出部４６の左右方向内端縁と第３部分Ａ３との距離Ｄ４よりも短い。
【０１２２】
そのため、より左右方向内方において、ベースフレーム３２の突出部４６とカバーフレーム３３の傾斜部５８との合わせ目７２をシールすることができる。
【０１２３】
その結果、ベースフレーム３２の突出部４６とカバーフレーム３３の傾斜部５８との合わせ目７２を、一層確実にシールすることができる。
（４）この現像カートリッジ１によれば、図６Ｂおよび図７に示すように、１対の傾斜部５８のそれぞれは、第１リブ６０Ａと、第２リブ６０Ｂと、第３リブ６０Ｃとを有している。
【０１２４】
また、図４Ｂおよび図５に示すように、そして、ベースフレーム３２の左右の傾斜部４５のそれぞれの上面４５Ａ、および、左右の突出部４６のそれぞれの上面４６Ａには、溶着領域Ａの第１部分Ａ１、第２部分Ａ２および第３部分Ａ３が位置している。
【０１２５】
ここで、ベースフレーム３２の傾斜部４５および突出部４６とカバーフレーム３３の傾斜部５８とを傾斜させると、ベースフレーム３２の傾斜部４５および突出部４６とカバーフレーム３３の傾斜部５８とがそれぞれ傾斜交差を生じる場合があり、ベースフレーム３２とカバーフレーム３３とを重ね合わせるときに、傾斜交差によって、ベースフレーム３２の傾斜部４５および突出部４６とカバーフレーム３３の傾斜部５８とを密着させることが困難になる場合がある。
【０１２６】
この点、上記の構成によれば、ベースフレーム３２の傾斜部４５および突出部４６とカバーフレーム３３の傾斜部５８との溶着領域Ａは、第１部分Ａ１、第２部分Ａ２および第３部分Ａ３を有している。
【０１２７】
そのため、ベースフレーム３２の傾斜部４５および突出部４６とカバーフレーム３３の傾斜部５８とにそれぞれ傾斜交差が生じたとしても、ベースフレーム３２の傾斜部４５および突出部４６とカバーフレーム３３の傾斜部５８との合わせ目７２を、確実にシールすることができる。
（５）この現像カートリッジ１によれば、図１、図３および図８に示すように、ブレードシール７１の左右方向両端部のそれぞれは、ベースフレーム３２の突出部４６の後面４６Ｂ、ベースフレーム３２のシール対向部４２の後面４２Ａ、および、カバーフレーム３３の対向部５７の左右方向両端部のそれぞれの後面５７Ｂと、層厚規制ブレード４との間に配置されている。
【０１２８】
これにより、ブレードシール７１の左右方向両端部のそれぞれは、カバーフレーム３３の傾斜部５８のそれぞれの後端縁Ｅ１と、ベースフレーム３２の突出部４６のそれぞれの後端縁Ｅ２との合せ目７２を、より確実にシールすることができる。
【０１２９】
しかも、溶着リブ５３の第１リブ６０Ａは、ベースフレーム３２の突出部４６の後端縁Ｅ２、および、カバーフレーム３３の傾斜部５８の後端縁Ｅ１まで延びている。
【０１３０】
そのため、ベースフレーム３２の突出部４６と、カバーフレーム３３の傾斜部５８とを溶着すると、溶融した第１リブ６０Ａが、ベースフレーム３２の突出部４６の後端縁Ｅ２、および、カバーフレーム３３の傾斜部５８の後端縁Ｅ１よりも後方へ膨出する。
【０１３１】
ここで、ブレードシール７１は、ベースフレーム３２のシール対向部４２の後面４２Ａ、および、カバーフレーム３３の対向部５７の左右方向両端部のそれぞれの後面５７Ｂに対して、接着剤層を介さずに直接接触している。
【０１３２】
これにより、ブレードシール７１は、溶融した第１リブ６０Ａの膨出に対応して変形し、膨出した第１リブＡに対して隙間なく密着する。
【０１３３】
その結果、カバーフレーム３３の傾斜部５８のそれぞれの後端縁Ｅ１と、ベースフレーム３２の突出部４６のそれぞれの後端縁Ｅ２との合せ目７２を、より一層確実にシールすることができる。
６．変形例
図９および図１０を参照して、現像カートリッジ１の変形例を説明する。なお、以下の変形例において、上記した実施形態と同様の部材には同様の符号を付し、その説明を省略する。
（１）第１の変形例
上記した実施形態では、ベースフレーム３２とカバーフレーム３３の溶着領域Ａは、第１部分Ａ１の左右方向内方に位置する第３部分Ａ３を有している。
【０１３４】
対して、第１の変形例では、図９Ａに示すように、溶着領域Ａは、第３部分Ａ３を有していない。
【０１３５】
第１の変形例においても、上記した実施形態と同様の作用効果を得ることができる。
（２）第２の変形例
上記した実施形態では、ベースフレーム３２とカバーフレーム３３の溶着領域Ａは、前後方向に連続して略直線状に延びている。
【０１３６】
対して、第２の変形例では、図９Ｂに示すように、溶着領域Ａの第１部分Ａ１は、第２部分Ａ２よりも前方の部分Ａ１１と、第２部分Ａ２よりも後方の部分Ａ１２とに、前後方向途中で２つに分割されている。
【０１３７】
詳しくは、第１部分Ａ１の前半部分Ａ１１は、前後方向に延びている。第１部分Ａ１の前半部分Ａ１１の後端部は、第２部分Ａ２の左右方向外端部に連続している。
【０１３８】
また、第１部分Ａ１の後半部分Ａ１２は、第２部分Ａ２の左右方向中央よりもわずかに左右方向外方から連続して後方へ延びている。第１部分Ａ１の後半部分Ａ１２の後端部は、突出部４６の後端縁Ｅ２に位置している。
【０１３９】
第２の変形例においても、上記した実施形態と同様の作用効果を得ることができる。
（３）第３の変形例
上記した第１の変形例および第２の変形例は、互いに組み合わせることができる。
【０１４０】
第３の変形例では、図１０Ａに示すように、溶着領域Ａは、第１の変形例と同様に第３部分Ａ３を有しておらず、第１部分Ａ１は、第２の変形例と同様に、第２部分Ａ２よりも前方の部分Ａ１１と、第２部分Ａ２よりも後方の部分Ａ１２とに、前後方向途中で２つに分割されている。
【０１４１】
第３の変形例においても、上記した実施形態と同様の作用効果を得ることができる。
（４）第４の変形例
上記した第３の変形例では、溶着領域Ａの第２部分Ａ２は、左右方向に連続して略直線状に延びている。
【０１４２】
対して、第４の変形例では、図１０Ｂに示すように、溶着領域Ａの第２部分Ａ２は、第１部分Ａ１の後半部分Ａ１２よりも左右方向外方の部分Ａ２１と、第１部分Ａ１の後半部分Ａ１２よりも左右方向内方の部分Ａ２２とに、左右方向途中で２つに分割されていてもよい。
【０１４３】
詳しくは、第２部分Ａ２の左右方向外方部分Ａ２１は、第１部分Ａ１の前半部分Ａ１１の後端部から連続して左右方向内方へ延びている。第２部分Ａ２の左右方向外方部分Ａ２１の左右方向内端部は、第１部分Ａ１の後半部分Ａ１２の前端部に連続している。
【０１４４】
また、第２部分Ａ２の左右方向内方部分Ａ２２は、第１部分Ａ１の後半部分Ａ１２の途中から連続して左右方向内方へ延びている。第２部分Ａ２の左右方向内方部分Ａ２２の左右方向内端部は、突出部４６の左右方向内端縁に位置している。
【０１４５】
傾斜部５８の後端縁Ｅ２と第２部分Ａ２の左右方向内方部分Ａ２２との距離Ｄ５は、傾斜部５８の左右方向内端縁と第１部分Ａ１の後半部分Ａ１２の後端縁との距離Ｄ１と同じである。
【０１４６】
第４の変形例によれば、第１部分Ａ１よりも左右方向内方において、傾斜部５８の後端縁Ｅ２と第２部分Ａ２との距離Ｄ５を、より短くすることができる。
【０１４７】
これにより、第１部分Ａ１よりも左右方向内方かつ第２部分Ａ２よりも後方の領域を小さくすることができる。
【０１４８】
そのため、第１部分Ａ１よりも左右方向内方かつ第２部分Ａ２よりも後方の領域にトナーが浸入することを抑制でき、第１部分Ａ１よりも左右方向内方かつ第２部分Ａ２よりも後方の領域を介して、ベースフレーム３２の傾斜部４５および突出部４６とカバーフレーム３３の傾斜部５８との合わせ目７２からトナーが漏れることを抑制できる。
【０１４９】
その結果、ベースフレーム３２の傾斜部４５および突出部４６とカバーフレーム３３の傾斜部５８との合わせ目７２を、より一層確実にシールすることができる。
【符号の説明】
【０１５０】
１      現像カートリッジ
２      現像ローラ
２Ｃ    中心軸線
４      層厚規制ブレード
３１    現像フレーム
３２    ベースフレーム
３３    カバーフレーム
３７Ａ  本体部の上面
４４Ａ  鍔部の上面
４５Ａ  傾斜部の上面
４６Ａ  突出部の上面
４６Ｂ  突出部の後面
４７Ａ  鍔部の上面
４８Ａ  本体部の上面
５５Ａ  鍔部の下面
５７Ｂ  対向部の後面
５８Ａ  傾斜部の下面
７１    ブレードシール
７２    合わせ目
Ａ      溶着領域
Ａ１    第１部分
Ａ２    第２部分
Ａ３    第３部分
Ｄ３    距離
Ｄ４    距離
Ｄ５    距離
Ｅ１    後端縁
Ｅ２    後端縁
【図１】
2015060187.tif 000003
【図２】
2015060187.tif 000004
【図３】
2015060187.tif 000005
【図４】
2015060187.tif 000006
【図５】
2015060187.tif 000007
【図６】
2015060187.tif 000008
【図７】
2015060187.tif 000009
【図８】
2015060187.tif 000010
【図９】
2015060187.tif 000011
【図１０】
2015060187.tif 000012